(57)【要約】【課題】原稿搬送経路における画像読取位置を含む範囲に対向する外装パネルの開閉部分を互いに異なる支点を中心に開閉する２つの部材によって２重構造とし、画像読取位置に対する外部光の遮光、及び、原稿の位置精度の維持を実現する。【解決手段】原稿搬送経路Ｈ１における第２画像読取位置Ｐ２を含む範囲の外側を包囲する外装パネル２０における第２画像読取位置Ｐ２に対向する部分を含む範囲を構成する第１の開閉部材６と、第１の開閉部材６の内側で原稿搬送経路Ｈ１における第２画像読取位置Ｐ２を含む範囲を構成する第２の開閉部材７と、を備え、第１及び第２の開閉部材６及び７を互いに異なる支点位置６Ａ及び７Ａで原稿搬送経路Ｈ１における原稿搬送方向に直交する軸周りに開閉自在に支持し、第２画像読取位置Ｐ２を外部から２重に遮光する。【選択図】図４
2006115427.tif 000002
【特許請求の範囲】
【請求項１】
画像情報の読取前の原稿が積載される原稿トレイと、画像情報の読取後の原稿が排出される排出トレイと、前記原稿トレイから画像読取位置を経由して前記排出トレイに至る間に形成された原稿搬送経路と、前記画像読取位置を通過する原稿から画像情報を読み取る画像読取素子と、前記原稿搬送経路における前記画像読取位置を含む範囲の外側を包囲する外装パネルと、前記外装パネルにおける前記画像読取位置に対向する部分を含む範囲を構成する第１の開閉部材と、前記第１の開閉部材の内側で前記原稿搬送経路における前記画像読取位置を含む範囲を構成する第２の開閉部材と、を備え、前記第１及び第２の開閉部材を互いに異なる支点位置で前記原稿搬送経路における原稿搬送方向に直交する軸周りに開閉自在に支持したことを特徴とする原稿読取装置。
【請求項２】
前記第１の開閉部材は、装置本体の底面側の前記外装パネルの一部を構成し、前記外装パネルの内側を下方に開閉することを特徴とする請求項１に記載の原稿読取装置。
【請求項３】
前記原稿搬送経路における原稿搬送方向について前記第１の開放部材は前記第２の開放部材よりも長く、前記第２の開閉部材の支点位置は前記第１の開閉部材の支点位置よりも装置本体の内部側で、かつ、前記原稿搬送方向について前記第１の開閉部材の外側に配置したことを特徴とする請求項１又は２に記載の原稿読取装置。
【請求項４】
前記第１の開閉部材は、前記原稿搬送経路の一部を構成する搬送ガイド、及び、前記第２の開閉部材の開放端に当接する当接部を含む弾性材料の板状体によって構成したことを特徴とする請求項１乃至３のいずれかに記載の原稿読取装置。
【請求項５】
前記第２の開閉部材は、前記画像読取位置において前記画像読取素子に対向するシェーディング補正板、前記排出トレイに排出される原稿に確認印を押印する押印部材、及び、本体の一部に閉鎖方向に当接する位置決め部材を備えたことを特徴とする請求項１乃至４のいずれかに記載の原稿読取装置。
【発明の詳細な説明】
【技術分野】
【０００１】
この発明は、原稿トレイに載置された複数枚の原稿を画像読取位置に１枚ずつ搬送して原稿から画像情報を読み取る原稿読取装置に関する。
【背景技術】
【０００２】
近年、原稿中の画像情報を読取る原稿読取装置として、原稿トレイから原稿を１枚ずつ単一の原稿搬送経路を経由して画像読取位置に搬送し、原稿の画像情報を読み取るＳＰＦ（シングルパスフィーダ）と呼ばれる装置が開発されている。
【０００３】
ＳＰＦにおいて、原稿の両面から画像情報を読み取る両面原稿読取処理時に、単一の画像読取素子を用いる装置では、小型化を実現できるが、第１面からの画像情報の読取を終了した原稿をスイッチバック搬送し、同一の画像読取素子で第２面からの画像情報の読取を行い、この後、原稿排出時のページ順序を揃えるために空搬送を行った後に原稿排出部に排出する。したがって、同一の原稿が単一の原稿搬送経路を３回搬送されて初めて１枚の原稿について両面原稿読取処理が完了することとなり、画像情報の読取速度が遅くなる。
【０００４】
これに対して、２つの画像読取素子を備え、原稿を原稿搬送経路内において１回搬送する間に原稿の両面から画像情報を読み取るようにしたＳＰＦが提案されている（例えば、特許文献１参照。）。一例として、画像読取素子としてＣＣＤとＣＩＳ（密着型画像読取素子）とを併設したものがある。
【０００５】
この構成では、装置の著しい大型化を伴うことなく両面原稿読取処理の高速化を図ることができるが、１）読取解像度の異なる２つの画像読取素子を用いるために原稿の表裏面から読み取った画像情報の画像品位が相違する点、２）ＣＣＤの焦点深度は３〜５ｍｍであるのに対してＣＩＳの焦点深度は０．５〜１ｍｍであるために２つの画像読取素子の焦点深度の相違によって画像読取位置における原稿搬送位置の精度を厳格に維持しなければならず、読み取られた画像情報にピントの誤差を生じやすい点、３）装置の小型に構成するために両画像読取素子の画像読取位置を近接して配置すると一方の画像読取位置における露光光が他方の画像読取位置における画像読取素子に迷光として受光されて正確な画像情報の読取ができない点などの問題を生じる。
【０００６】
上記問題点のうち、第３の点については迷光防止用の部材を設けることで回避できるが、第１及び第２の点はＣＣＤとＣＩＳとの基本的な相違によるものであるため、解決することができない。
【０００７】
そこで、従来のＳＰＦでは、いずれもＣＣＤである２つの画像読取素子を備えたものがある。この構成では、一方のＣＣＤが縮小光学系として原稿を原稿搬送経路に近接して配置される。このため、原稿搬送経路が相対的に長くなり、原稿搬送経路において原稿が搬送ジャムを生じた際に、ジャム解除作業の容易化を図る必要があり、原稿搬送経路を外部に露出することができるようにされている。
【特許文献１】特開２００２−１８２４３７号公報
【発明の開示】
【発明が解決しようとする課題】
【０００８】
しかしながら、原稿搬送経路において縮小光学系を構成するＣＣＤの画像読取位置を含む範囲を外部に露出できるようにするには、装置の外装パネルにおいて画像読取位置に対向する部分を含む範囲を開閉自在に構成することになり、画像読取位置に対する外部光（迷光）の遮光、及び、原稿の位置精度の維持を十分に考慮する必要がある。
【０００９】
即ち、装置の外装パネルの開閉部分を閉鎖した際に、画像読取位置に外部光が到達することがないようにするとともに、画像読取位置において原稿を支持する部材とＣＣＤとの距離が設計値を厳格に維持するようにしなければならない。
【００１０】
この発明の目的は、原稿搬送経路における画像読取位置を含む範囲に対向する外装パネルの開閉部分を互いに異なる支点を中心に開閉する２つの部材によって２重構造とし、画像読取位置に対する外部光の遮光、及び、原稿の位置精度の維持を実現することができる原稿読取装置を提供することにある。
【課題を解決するための手段】
【００１１】
上記の課題を解決するための手段として、この発明の光ビーム走査装置は、以下の構成を備えたものである。
【００１２】
（１）画像情報の読取前の原稿が積載される原稿トレイと、画像情報の読取後の原稿が排出される排出トレイと、前記原稿トレイから画像読取位置を経由して前記排出トレイに至る間に形成された原稿搬送経路と、前記画像読取位置を通過する原稿から画像情報を読み取る画像読取素子と、前記原稿搬送経路における前記画像読取位置を含む範囲の外側を包囲する外装パネルと、前記外装パネルにおける前記画像読取位置に対向する部分を含む範囲を構成する第１の開閉部材と、前記第１の開閉部材の内側で前記原稿搬送経路における前記画像読取位置を含む範囲を構成する第２の開閉部材と、を備え、前記第１及び第２の開閉部材を互いに異なる支点位置で前記原稿搬送経路における原稿搬送方向に直交する軸周りに開閉自在に支持したことを特徴とする。
【００１３】
この構成においては、原稿搬送経路における画像読取位置を含む範囲が、第１の開閉部材と第２の開閉部材との２重の開閉部材によって外部に対して開閉自在にされる。したがって、第１及び第２の開閉部材を開放することによって原稿搬送経路における画像読取位置を含む範囲に停止した原稿が容易に外部に取り出されるとともに、第１及び第２の開閉部材を閉鎖することによって画像読取位置に対向する画像読取素子が外部光から確実に遮光される。また、外装パネルの一部を構成する第１の開閉部材に作用した外力が、第２の開閉部材が構成する原稿搬送経路における前記画像読取位置を含む範囲に直接に影響を与えることがなく、画像読取位置における原稿の搬送位置の精度が維持される。
【００１４】
（２）前記第１の開閉部材は、装置本体の底面側の前記外装パネルの一部を構成し、前記外装パネルの内側を下方に開閉することを特徴とする。
【００１５】
この構成においては、画像形成装置の上面に配置された原稿台を開閉自在に被覆するように配置される装置本体において、原稿台に対向する底面の一部が第１の開閉部材によって構成される。したがって、装置本体が原稿台を開放する状態では装置本体の底面と原稿台との間には空間が形成され、この空間に第１及び第２の開閉部材が開放状態にされる。
【００１６】
（３）前記原稿搬送経路における原稿搬送方向について前記第１の開放部材は前記第２の開放部材よりも長く、前記第２の開閉部材の支点位置は前記第１の開閉部材の支点位置よりも装置の内部側で、かつ、前記原稿搬送方向について前記第１の開閉部材の外側に配置したことを特徴とする。
【００１７】
この構成においては、原稿搬送経路における画像読取位置を構成する第２の開閉部材が、原稿搬送方向において第２の開閉部材よりも長い第１の開閉部材の外側の支点位置で、原稿搬送方向に直交する軸周りに開閉する。したがって、第１及び第２の開閉部材を閉鎖した状態で、第２の開閉部材の開放端は、第１の開閉部材によって外部に対して遮蔽される。
【００１８】
（４）前記第１の開閉部材は、前記原稿搬送経路の一部を構成する搬送ガイド、及び、前記第２の開閉部材の開放端に当接する当接部を含む弾性材料の板状体によって構成したことを特徴とする。
【００１９】
この構成においては、第１の開閉部材が、弾性材料からなる板状の搬送ガイド及び当接部を備える。したがって、装置本体に対する第１の開閉部材の取付状態に誤差を生じた場合にも、板状の搬送ガイド及び当接部が弾性変形することにより、原稿搬送経路における原稿の搬送位置、及び、閉鎖時における第２の開閉部材の位置に変化を生じ難い。
【００２０】
（５）前記第２の開閉部材は、前記画像読取位置において前記画像読取素子に対向するシェーディング補正板、前記排出トレイに排出される原稿に確認印を押印する押印部材、及び、装置本体の一部に閉鎖方向に当接する位置決め部材を備えたことを特徴とする。
【００２１】
この構成においては、原稿搬送経路において高い位置精度が要求されるシェーディング補正板及び押印部材が位置決め部材とともに第２の開閉部材に備えられる。したがって、原稿搬送経路において高い位置精度が要求される部品が、第１の開閉部材よりも装置本体の内側に位置しているために外力の影響を受け難い第２の開閉部材に備えられ、位置精度の低下を生じ難い。
【発明の効果】
【００２２】
この発明によれば、以下の効果を奏することができる。
【００２３】
（１）第１及び第２の開閉部材を開放することによって原稿搬送経路における画像読取位置を含む範囲に停止した原稿を容易に外部に取り出すことができるとともに、第１及び第２の開閉部材を閉鎖することによって画像読取位置に対向する画像読取素子を外部光から確実に遮光することができ、原稿から画像情報を正確に読み取ることができる。
【００２４】
また、第２の開閉部材が構成する原稿搬送経路における前記画像読取位置を含む範囲は、外装パネルの一部を構成する第１の開閉部材に作用した外力の影響を受け難くなり、画像読取位置における原稿の搬送位置の精度を維持することができ、原稿の画像情報をピントの誤差を生じることなく正確に読み取ることができる。
【００２５】
（２）装置本体が画像形成装置の原稿台を開放する状態で、装置本体の底面と原稿台との間に形成された空間において、第１及び第２の開閉部材を開放状態にすることで、画像読取位置を含む原稿搬送経路を外部に露出させることができ、この部分に停止した原稿を容易に除去することができる。
【００２６】
（３）第１及び第２の開閉部材を閉鎖した状態で、第２の開閉部材の開放端を第１の開閉部材によって外部から遮蔽することができ、画像読取位置に対向する画像読取素子を外部光から確実に遮光して原稿の画像情報を正確に読み取ることができる。
【００２７】
（４）装置本体に対する第１の開閉部材の取付状態に誤差を生じた場合に、板状の搬送ガイド及び当接部が弾性変形することにより、原稿搬送経路における原稿の搬送位置、及び、閉鎖時における第２の開閉部材の位置に変化を生じ難くすることができる。これによって、画像読取位置における原稿の搬送位置の精度を維持することができ、原稿の画像情報をピントの誤差を生じることなく正確に読み取ることができる。
【００２８】
（５）原稿搬送経路において高い位置精度が要求される部品を、第１の開閉部材よりも装置本体の内側に位置しているために外力の影響を受け難い第２の開閉部材に備えることにより、これらの部品の位置精度の低下を生じ難くすることができ、原稿の画像情報をピントの誤差を生じることなく正確に読み取ることができる。
【発明を実施するための最良の形態】
【００２９】
以下に、この発明の最良の実施形態に係る原稿読取装置を図面を参照しつつ詳細に説明する。
【００３０】
図１は、この発明の実施形態に係る原稿読取装置を備えた画像形成装置の構成を示す図である。画像形成装置１００は、この発明の原稿読取装置１を備えた画像読取部１１０、画像形成部２１０及び給紙部２５０からなり、後処理装置２６０及び多段給紙ユニット２７０を備えている。画像読取部１１０の詳細については、後述する。
【００３１】
画像読取部１１０で原稿から読み取られた画像データは、画像形成部２１０に送られる。画像データは、画像形成部２１０の画像処理部において所定の画像処理が施された後、画像処理部のメモリに一旦記憶され、出力指示に応じてメモリから読み出されてレーザ書込みユニット２２７に転送される。
【００３２】
画像形成部２１０は、回転自在に支持された感光体ドラム２２２の周囲に、感光体ドラム２２２の表面を所定の電位に帯電させる帯電器２２３、感光体ドラム２２２の表面に画像データによって変調されたレーザ光を照射して静電潜像を形成するレーザ書込みユニット２２７、感光体ドラム２２２の表面に形成された静電潜像にトナーを供給してトナー像に顕像化する現像器２２４、感光体ドラム２２２の表面に担持されたトナー像を用紙上に転写する転写器２２５、感光体ドラム２２２の表面から用紙を剥離する剥離器２２９、及び、余分なトナーを回収するクリーナ２２６を備えている。
【００３３】
なお、レーザ書込みユニット２２７に代えて、ＬＥＤやＥＬ等の発光素子アレイを用いた固体走査型の光書込みヘッドユニットを用いることもできる。
【００３４】
画像形成部２１０の下方には、給紙部２５０が配置されている。給紙部２５０は、用紙トレイ２５１、手差トレイ２５４及び両面ユニット２５５と、多段給紙ユニット２７０に備えられた給紙トレイ２５２及び２５３と、を備えている。また、給紙部２５０には、これらのトレイ２５１〜２５４に収納されている用紙を画像形成部２１０の感光体ドラム２２２と転写器２２５との間を経由して排紙トレイ２１９に搬送する用紙搬送路が形成されている。
【００３５】
両面ユニット２５５は、用紙の前後を反転させるスイッチバック路２２１に通じており、用紙の両面に画像形成を行う時に用いられる。両面ユニット２５５は、通常の用紙トレイと交換可能にされている。また、用紙を数千枚収納可能な大容量給紙ユニットを装着することもできる。
【００３６】
画像形成部２１０の排出側には、トナー像が転写された用紙を加熱及び加圧して用紙上に画像を定着させる定着ユニット２１７、用紙の裏面に再度画像を形成するために用紙の前後を反転させるスイッチバック路２２１、画像が形成された用紙に対してステープル処理等を行う昇降トレイ２６１を有する後処理装置２６０が配置されている。定着ユニット２１７によって画像が定着された用紙は、必要に応じてスイッチバック路２２１を経て排紙ローラ２１９にて後処理装置２６０へと導かれ、ここで所定の後処理が施された後、昇降トレイ２６１に排出される。
【００３７】
画像読取部１１０は、ＣＣＤ（Charge Coupled Device ）読取ユニット１１を備え、第１原稿台１２上に載置されて平面支持された原稿の画像を、光源ユニット１３及びミラーユニット１４によって固定位置に設けられたＣＣＤ読取ユニット１１に結像して読取処理を行う。ＣＣＤ読取ユニット１１は、結像レンズおよびこの発明の画像読取素子であるＣＣＤイメージセンサを備える。
【００３８】
光源ユニット１３は、照明光を照射する光源、光源からの照明光を第１原稿台１２上の所定の読取位置に集光するレフレクタ、原稿からの反射光のみを通過させるスリット、及び、スリットを通過した反射光の光路を９０度偏向するミラーを搭載している。ミラーユニット１４は、光源ユニット１３からの反射光の光路を１８０度偏向する一対のミラーを搭載している。
【００３９】
静止読取モード時に、光源ユニット１３は速度Ｖで、ミラーユニット１４は速度Ｖ／２で、第１原稿台１２の下面において副走査方向に往復移動し、第１原稿台１２上の原稿の画像面の全面における反射光を光路長を一定に維持してＣＣＤ読取ユニット１１に導く。
【００４０】
ＣＣＤ読取ユニット１１は、静止読取モード時に、ＣＣＤイメージセンサ、結像レンズ及び光源を搭載した縮小読取光学系又は等倍読取光学系のユニットを速度Ｖで、第１原稿台１２の下面において副走査方向に往復移動する構造であってもよい。
【００４１】
画像読取部１１０には、第１原稿台１２から副走査方向に所定距離だけ離間して第２原稿台１６が設けられている。原稿読取装置１を用いた搬送読取モード時には、光源ユニット１３は、第２原稿台１６に対向する第１画像読取位置Ｐ１に停止する。
【００４２】
図２は、この発明の実施形態に係る原稿読取装置の構成を示す断面図である。図３は、同原稿読取装置の開蓋状態を示す断面図である。原稿読取装置１は、画像読取部１１０の上方において、第１原稿台１２及び第２原稿台１６の上面を開閉自在にして配置されている。
【００４３】
原稿読取装置１は、複数枚原稿が積載される原稿トレイ２、画像情報の読取済の原稿が積層して排出される排出トレイ３を備えている。原稿トレイ２から第１画像読取位置Ｐ１及び第２画像読取位置Ｐ２を経由して排出トレイ３に至る間には、ピックアップローラ４、給送ローラ５Ａ、捌きローラ５Ｂ及びローラＲ１〜Ｒ６を備えた略Ｃ字状を呈する原稿搬送経路Ｈ１が形成されている。
【００４４】
ローラＲ１，Ｒ２，Ｒ４及びＲ５は、原稿搬送経路Ｈ１内において原稿を所定速度で搬送するための搬送ローラである。ローラＲ３は、画像読取位置Ｐ１及びＰ２における画像情報の読取タイミングに同期して回転を開始するレジストレーションローラである。読取タイミングに先立って原稿トレイ２から搬送された原稿は、前端部を停止中のレジストレーションローラＲ３に当接させて斜行を矯正された後、回転を開始したレジストレーションローラＲ３によって所定の読取タイミングで画像読取位置Ｐ１及びＰ２に搬送される。ローラＲ６は、画像情報の読取処理を完了した原稿を排出トレイ３に排出する排出ローラである。
【００４５】
原稿搬送経路Ｈ１において、画像形成装置１００に設けられた第２原稿台１６に対向する第１画像読取位置Ｐ１には、第２原稿台１６との間に所定の間隙を設けてプラテン１０が配置されている。原稿が第２原稿台１６とプラテン１０との間の第１画像読取位置Ｐ１を通過する時に、画像形成装置１００の画像読取部１１０に備えられたＣＣＤ読取ユニット１１によって原稿の表面からの画像情報の読取が行われる。
【００４６】
原稿搬送経路Ｈ１において、第１画像読取位置Ｐ１の下流側に位置する第２画像読取位置Ｐ２（この発明の画像読取位置である。）の上面側にはプラテンガラス２１が配置されている。また、原稿読取装置１の内部において原稿搬送経路Ｈ１に包囲された部分には、この発明の画像読取素子であるＣＣＤ８がミラー２２〜２２及びレンズ２６とともに配置されている。ＣＣＤ８は、ミラー２２〜２５、レンズ２６及びプラテンガラス２１を介して第２画像読取位置Ｐ２に対向している。原稿が第２原稿台１６とプラテン１０との間の第２画像読取位置Ｐ２を通過する時に、ＣＣＤ８によって原稿の裏面からの画像情報の読取が行われる。
【００４７】
原稿の片面のみから画像情報を読み取る片面原稿読取時には、原稿トレイ２に載置された原稿の最上面に当接したピックアップローラ４の回転によって繰り出された原稿が、給送ローラ５Ａの回転によって原稿搬送経路Ｈ１内に導かれる。このとき、給送ローラ５Ａと同方向に回転する捌きローラ５Ｂにより、最上部に位置する原稿以外の原稿が原稿トレイ２内に戻され、最上部に位置する１枚の原稿のみが原稿搬送経路Ｈ１内に送り出される。
【００４８】
原稿トレイ２から送り出された原稿は、搬送ローラＲ１及びＲ２の回転によって原稿搬送経路Ｈ１内を搬送され、レジストレーションローラＲ３の回転によって所定のタイミングで第１画像読取位置Ｐ１に向かって搬送される。原稿は、第１画像読取位置Ｐ１を通過する間に、第１画像読取位置Ｐ１の下方に停止している光源ユニット１３を含む画像読取部１１０のＣＣＤ読取ユニット１１によって表面の画像情報が読み取られる。表面の画像情報が読み取られた原稿は、搬送ローラＲ４，Ｒ５及び排出ローラＲ６の回転により、排出トレイ３に排出される。
【００４９】
原稿の両面から画像情報を読み取る両面原稿読取時には、片面原稿読取時と同様にして原稿搬送経路Ｈ１内に送り出された１枚の原稿は、第１画像読取位置Ｐ１での表面の画像情報の読取処理が終了した後、搬送ローラＲ４及びＲ５を介して第２画像読取位置Ｐ２に導かれ、第２画像読取位置Ｐ２を通過する時に、ＣＣＤ８によって裏面の画像情報の読取を受ける。両面からの画像情報の読取が完了した原稿は、排出ローラＲ６の回転により、排出トレイ３に排出される。
【００５０】
原稿読取装置１において、原稿搬送経路Ｈ１の外側は、外装パネル２０によって被覆されている。この外装パネル２０のうち、原稿搬送経路Ｈ１の上面側及び左側面側に対向する部分は、カバー９によって構成されている。カバー９は、左側面の下端部をヒンジとして開閉自在にされている。カバー２には、原稿搬送経路Ｈ１の上面側及び左側面側における外側に配置される略Ｌ字型の搬送ガイド３１が一体的に固定されている。
【００５１】
原稿読取装置１の底面を形成する外装パネル２０のうち、原稿搬送経路Ｈ１の下面側に対向する部分は、第１の開閉部材６によって構成されている。第１の開閉部材６は、支点６Ａにおいて原稿搬送方向に直交する軸周りに原稿読取装置１の下方に向けて開閉自在に支持されている。原稿読取装置１の内部において、第１の開閉部材６の内側には、第２の開閉部材７が配置されている。第２の開閉部材７は、支点７Ａにおいて原稿搬送方向に直交する軸周りに原稿読取装置１の下方に向けて開閉自在に支持されている。
【００５２】
図４は、上記原稿読取装置における要部の構成を示す拡大断面図である。原稿読取装置１の底面を構成する外装パネル２０において、第２画像読取位置Ｐ２を含む原稿搬送経路Ｈ１の一部に対向する範囲は、第１の開閉部材６によって構成されている。第１の開閉部材６は、支点６Ａにおいて回動自在に支持されている。
【００５３】
第１の開閉部材６には、搬送ローラＲ４及びＲ５のそれぞれに圧接する従動ローラＲ４Ａ及びＲ５Ａが支持されており、搬送ガイド６Ｂ及び当接部６Ｃが形成されている。第１の開閉部材６において、少なくとも搬送ガイド６Ｂ及び当接部６Ｃは、樹脂等の弾性材料からなる板状体で構成されている。搬送ガイド６Ｂは、原稿搬送経路Ｈ１における第１画像読取位置Ｐ１の下流側から搬送ローラＲ５の下流側までの範囲において、原稿搬送経路Ｈ１の外側面を構成している。当接部６Ｃには、後述する第２の開閉部材７の開放端が上方から当接する。
【００５４】
原稿読取装置１の内部において、第１の開閉部材６の内側で、第２画像読取位置Ｐ２を含む原稿搬送経路Ｈ１の一部は、第２の開閉部材７によって構成されている。第２の開閉部材７は、支点７Ａにおいて回動自在に支持されている。
【００５５】
第２の開閉部材７には、搬送ガイド７Ｂ及び位置決め部材３３が形成されており、シェーディング補正板３１及び押印部材３２が保持されている。搬送ガイド７Ｂは、原稿搬送経路Ｈ１における搬送ローラ５の下流側から第２の画像読取位置Ｐ２の下流側までの範囲において、原稿搬送経路Ｈ１の下側面を構成している。
【００５６】
位置決め部材３３は、原稿読取装置１の内部に固定されている搬送ガイド３４に第２の開閉部材７の閉鎖方向に当接する。搬送ガイド３４は、原稿搬送経路Ｈ１における第２の画像読取位置の下流側から排紙ローラＲ６の上流側までの間において原稿搬送経路Ｈ１の下側面を構成している。
【００５７】
押印部材３２は、画像情報の読取を完了した原稿の一部に押印を行う。原稿の表面の一部に押印部材３２による押印がされているか否かにより、画像情報の読取を完了した原稿であるか否かが識別される。第２の開閉部材７の開放端の下側の角部７Ｃは、部分円弧状に形成されており、第１の開閉部材６の当接部６Ｃに上方から当接する。
【００５８】
以上のように、この実施形態に係る原稿読取装置１は、原稿搬送経路Ｈ２における第２画像読取位置Ｐ２を含む範囲を、第１の開閉部材６及び第２の開閉部材７による２重の開閉部材によって、外部に開閉自在にしている。
【００５９】
このため、第２画像読取位置Ｐ２を外部光から十分に遮光することができ、第２画像読取位置Ｐ２にミラー２２〜２５及びレンズ２６等を介して対向するＣＣＤ８が原稿から読み取った画像情報に迷光によるノイズが含まれることを防止でき、原稿の画像情報を正確に読み取ることができる。
【００６０】
また、外装パネル２０の一部を構成する第１の開閉部材６に作用した外力が、第２の開閉部材７が構成する原稿搬送経路Ｈ１における第２のの画像読取位置Ｐ２を含む範囲に直接に影響を与えることがなく、第２の画像読取位置Ｐ２における原稿の搬送位置の精度を維持することができる。
【００６１】
原稿搬送経路Ｈ１における原稿搬送方向において、第１の開閉部材６は第２の当接部材７よりも長く、第２の開閉部材７の支点７Ａは第１の開閉部材６の外側に位置している。したがって、第２の開閉部材７の開放端は、第１の開閉部材７の内側面に必ず対向する。このため、第１及び第２の開閉部材６及び７を閉鎖した状態では、第２の開放部材７の開放端が必ず第１の開閉部材６の当接部６Ｃに当接し、第２の開閉部材７の開放端７Ｃから第２画像読取位置Ｐ２に外部光が到達することがなく、第２画像読取位置Ｐ２を外部光からより確実に遮光することができる。
【００６２】
シェーディング補正板３１及び押印部材３２は、原稿搬送経路Ｈ１において高い位置精度が要求されるが、第１の開閉部材６よりも原稿読取装置１の内側に位置しているために外力の影響を受け難い第２の開閉部材７に備えられており、位置精度の低下を生じ難い。
【００６３】
第１の開閉部材６において弾性材料からなる板状の当接部６Ｃに、円弧状にされた第２の開放部材７の開放端７Ｃが当接するため、原稿読取装置１に対する第１の開閉部材６の取付状態に誤差を生じた場合等においても、当接部６Ｃが弾性変形することにより、閉鎖時における第２の開閉部材６の位置に変化を生じ難くすることができ、原稿からＣＣＤ８までの距離が変動することによるピントのずれを防止して原稿の画像情報を正確に読み取ることができる。
【図面の簡単な説明】
【００６４】
【図１】この発明の実施形態に係る原稿読取装置を備えた画像形成装置の構成を示す図である。
【図２】この発明の実施形態に係る原稿読取装置の構成を示す断面図である。図３は、同原稿読取装置の開蓋状態を示す断面図である。
【図３】同原稿読取装置の開蓋状態を示す断面図である。
【図４】上記原稿読取装置における要部の構成を示す拡大断面図である。
【符号の説明】
【００６５】
１  原稿読取装置
２  原稿トレイ
３  排出トレイ
６  第１の開閉部材
７  第２の開閉部材
８  ＣＣＤ（画像読取素子）
Ｈ１  原稿搬送経路
Ｐ１  第１画像読取位置
Ｐ２  第２画像読取位置
【図１】
2006115427.tif 000003
【図２】
2006115427.tif 000004
【図３】
2006115427.tif 000005
【図４】
2006115427.tif 000006